(57)【特許請求の範囲】
【請求項１】
複数の操作キーと、この操作キーの操作に応じて、複数の送信コードが所定周期で配列されたリモコン信号を送信する制御手段からなる複数のリモコン送信機と、上記リモコン信号を受信するリモコン受信機からなる送受信装置であって、上記複数のリモコン送信機の送信コードを異なる周期に配列させ、上記複数の送信コード内に、この複数の送信コードの順番を示すコード順データを設けると共に、上記リモコン受信機に上記複数のリモコン送信機の送信コードがほぼ同時に受信された場合には、上記コード順データ及び周期の差から上記複数のリモコン送信機の送信順を判定する送受信装置。
【発明の詳細な説明】
【技術分野】
【０００１】
本発明は、主に各種電子機器の操作に用いられる送受信装置に関するものである。
【背景技術】
【０００２】
近年、映像や音響、空調等の各種電子機器をリモコン送信機によって遠隔操作することが広く行われているが、特にゲーム機等においては、一つの機器を複数の人員が、複数のリモコン送信機を用いて操作する場合が多く、操作が容易で、誤操作の少ないものが求められている。
【０００３】
このような従来の送受信装置について、図６〜図９を用いて説明する。
【０００４】
図６は従来の送受信装置の概観図であり、同図において、１はリモコン送信機で、絶縁樹脂製で略箱型のケース１Ａ上面には複数の操作キー１Ｂが突出すると共に、ケース１Ａ内には操作キー１Ｂの操作によって電気的接離を行うスイッチ接点（図示せず）や、これに応じてリモコン信号を送信するマイコンや発光ダイオード等の制御手段ＩＣ（図示せず）が内蔵されて、リモコン送信機１が形成されている。
【０００５】
そして、５は前面に液晶表示素子等の表示部５Ａや、マイコン等の受信部５Ｂを設けたリモコン受信機で、このリモコン受信機５とリモコン送信機１や、リモコン送信機１と同様に形成された複数のリモコン送信機２、３によって、送受信装置が構成されている。
【０００６】
以上の構成において、例えば、複数の人員でクイズ等のゲームを行う場合、リモコン受信機５の表示部５Ａにクイズの問題等が表示された状態で、リモコン送信機１を持った者が解答用の操作キー１Ｂを押圧操作すると、制御手段１Ｃがこれを検出して、図７（ａ）のリモコン信号波形図に示すような、複数の送信コードＶ１が所定の周期Ｘ１で配列された赤外線のリモコン信号を、リモコン受信機５へ送信する。
【０００７】
なお、このリモコン信号の送信コードＶ１は、図８（ａ）の送信コード波形図に示すように、図８（ｂ）のヘッダーデータＶＡと、図８（ｃ）の０や図８（ｄ）の１の組み合わせの、押圧操作された操作キー固有の００１０の操作キーデータＶＢ、個々のリモコン送信機を識別する０００１のリモコン識別データＶＣ１、及び図８（ｅ）のストップビットデータＶＤから形成されている。
【０００８】
また、この時、リモコン送信機２を持った者が、やや遅れて解答用の操作キーを押圧操作した場合には、図７（ｂ）に示すように、ヘッダーデータＶＡや操作キーデータＶＢ、ストップビットデータＶＤは同じで、リモコン識別データのみが異なる複数の送信コードＶ２が、周期Ｘ１よりも大きな周期Ｘ２で配列されたリモコン信号が、リモコン送信機２からリモコン受信機５へ送信される。
【０００９】
そして、このリモコン送信機１と２からの二つのリモコン信号をリモコン受信機５が受信するが、図７（ａ）の一つ目の送信コードＶ１と、図７（ｂ）の一つ目の送信コードＶ２は、ほぼ同時に受信され、データが重なっているため、リモコン受信機５はこれを解読することができない。
【００１０】
しかし、次に、周期Ｘ１後に図７（ａ）のリモコン送信機１からの二つ目の送信コードＶ１を、この後、周期Ｘ２後に図７（ｂ）のリモコン送信機２からの二つ目の送信コードＶ２を受信することによって、リモコン受信機５が、リモコン送信機２よりもリモコン送信機１が早く操作されたと判定し、例えば、リモコン送信機１を持った者のポイント加算等が行われる。
【００１１】
ただ、この時、リモコン送信機１とリモコン送信機２が全く同時に操作された場合や、図９のリモコン信号波形図に示すように、リモコン送信機２がやや早く操作された場合には、リモコン受信機５が一つ目の送信コードＶ１とＶ２は受け付けず、二つ目の送信コードＶ１とＶ２によって判定を行うため、リモコン送信機１の方が早いと判定してしまう。
【００１２】
つまり、全く同時、或いはリモコン送信機２の方がやや早く操作されたにもかかわらず、リモコン送信機２の周期Ｘ２がリモコン送信機１の周期Ｘ１よりも大きいため、リモコン送信機２が遅いという誤った判定や操作が行われてしまうものであった。
【００１３】
なお、この出願の発明に関連する先行技術文献情報としては、例えば、特許文献１が知られている。
【特許文献１】特開平１０−９８７８７号公報
【発明の開示】
【発明が解決しようとする課題】
【００１４】
しかしながら、上記従来のリモコン送信機や送受信装置においては、複数のリモコン送信機が全く同時、或いは僅かな時間差で操作された場合、誤判定や誤操作が行われ易いという課題があった。
【００１５】
本発明は、このような従来の課題を解決するものであり、誤操作がなく操作の容易な送受信装置を提供することを目的とする。
【課題を解決するための手段】
【００１６】
上記目的を達成するために本発明は、以下の構成を有するものである。
【００１７】
本発明の請求項１に記載の発明は、複数の操作キーと、この操作キーの操作に応じて、複数の送信コードが所定周期で配列されたリモコン信号を送信する制御手段からなる複数のリモコン送信機と、上記リモコン信号を受信するリモコン受信機からなる送受信装置であって、上記複数のリモコン送信機の送信コードを異なる周期に配列させ、上記複数の送信コード内に、この複数の送信コードの順番を示すコード順データを設けると共に、上記リモコン受信機に上記複数のリモコン送信機の送信コードがほぼ同時に受信された場合には、上記コード順データ及び周期の差から上記複数のリモコン送信機の送信順を判定する送受信装置を構成したものであり、所定周期で配列された複数の送信コード内に、そのコードがいくつ目であるかを示すコード順データが設けられているため、複数のリモコン送信機とリモコン受信機で送受信装置を形成した際、複数のリモコン送信機から全く同時、或いは僅かな時間差で送信が行われた場合でも、送信順を正しく判定することが可能となり、誤操作がなく操作の容易な送受信装置を得ることができるという作用を有する。
【発明の効果】
【００１９】
以上のように本発明によれば、誤操作がなく操作の容易な送受信装置を実現できるという有利な効果が得られる。
【発明を実施するための最良の形態】
【００２０】
以下、本発明の実施の形態について、図１〜図５を用いて説明する。
【００２１】
なお、背景技術の項で説明した構成と同一構成の部分には同一符号を付して、詳細な説明を簡略化する。
【００２２】
（実施の形態）
図１は本発明の一実施の形態による送受信装置の概観図であり、同図において、１１はリモコン送信機で、絶縁樹脂製で略箱型のケース１１Ａ上面には複数の操作キー１１Ｂが突出すると共に、ケース１１Ａ内には操作キー１１Ｂの操作によって電気的接離を行うスイッチ接点（図示せず）や、これに応じてリモコン信号を送信するマイコンや発光ダイオード等の制御手段１１Ｃ（図示せず）が内蔵されて、リモコン送信機１１が形成されている。
【００２３】
そして、１５は前面に液晶表示素子等の表示部１５Ａや、マイコン等の受信部１５Ｂを設けたリモコン受信機で、このリモコン受信機１５とリモコン送信機１１や、リモコン送信機１１と同様に形成された複数のリモコン送信機１２、１３によって、送受信装置が構成されている。
【００２４】
以上の構成において、例えば、複数の人員でクイズ等のゲームを行う場合、リモコン受信機１５の表示部１５Ａにクイズの問題等が表示された状態で、リモコン送信機１１を持った者が解答用の操作キー１１Ｂを押圧操作すると、制御手段１１Ｃがこれを検出して、図２（ａ）のリモコン信号波形図に示すような、複数の送信コードＶ１−１〜３が所定の周期Ｘ１で配列された赤外線のリモコン信号を、リモコン受信機１５へ送信する。
【００２５】
なお、このリモコン信号の送信コードＶ１−１〜３は、図３（ａ）の送信コード波形図に示すように、図３（ｄ）のヘッダーデータＶＡと、図３（ｅ）の０や図３（ｆ）の１の組み合わせの、押圧操作された操作キー固有の００１０の操作キーデータＶＢ、個々のリモコン送信機を識別する０００１のリモコン識別データＶＣ１、及び図３（ｇ）のストップビットデータＶＤに加え、送信コードＶ１−１〜３の順番を示すコード順データＶＥ１−１〜３から形成されている。
【００２６】
すなわち、図２（ａ）のリモコン信号の一つ目の送信コードＶ１−１には、図３（ａ）に示すような０００１のコード順データＶＥ１−１が、二つ目の送信コードＶ１−２には、図３（ｂ）の００１０のコード順データＶＥ１−２が、三つ目の送信コードＶ１−３には、図３（ｃ）の００１１のコード順データＶＥ１−３が各々付加されている。
【００２７】
つまり、所定の周期Ｘ１で配列された複数の送信コードＶ１−１〜３には、同じデータであるヘッダーデータＶＡや操作キーデータＶＢ、リモコン識別データＶＣ１、ストップビットデータＶＤに加え、各々がいくつ目の送信コードであるかを示すコード順データＶＥ１−１〜３が設けられ、Ｖ１−１は一つ目に、Ｖ１−２は二つ目、Ｖ１−３は三つ目に周期Ｘ１の間隔で送信されたことが、判別できるようになっている。
【００２８】
また、この時、リモコン送信機１２を持った者が、やや遅れて解答用の操作キーを押圧操作した場合には、図２（ｂ）に示すように、複数の送信コードＶ２−１〜３が周期Ｘ１よりも大きな周期Ｘ２で配列されたリモコン信号が、リモコン送信機２からリモコン受信機５へ送信される。
【００２９】
なお、このリモコン送信機１２の複数の送信コードＶ２−１〜３にも、ヘッダーデータＶＡや操作キーデータＶＢ、ストップビットデータＶＤは同じで、リモコン識別データが異なると共に、各々がいくつ目の送信コードであるかを示すコード順データが付加されている。
【００３０】
そして、このリモコン送信機１１と１２からの二つのリモコン信号をリモコン受信機１５が受信するが、図２（ａ）の一つ目の送信コードＶ１−１と、図２（ｂ）の一つ目の送信コードＶ２−１は、ほぼ同時に受信され、データが重なっているため、リモコン受信機１５はこれを解読することができない。
【００３１】
しかし、次に、周期Ｘ１後に図２（ａ）のリモコン送信機１１からの二つ目の送信コードＶ１−２を、この後、周期Ｘ２後に図２（ｂ）のリモコン送信機１２からの二つ目の送信コードＶ２−２をリモコン受信機１５が受信し、この時、リモコン受信機１５は送信コードＶ１−２とＶ２−２のコード順データを判読する。
【００３２】
そして、これらのコード順データから、重なり解読できなかった送信コードＶ１−１やＶ２−１から、送信コードＶ１−２が周期Ｘ１後の二つ目のコード、送信コードＶ２−２が同じく周期Ｘ２後の二つ目のコードであることを判読し、これらを受信した時間と周期Ｘ１、Ｘ２の差から、リモコン送信機１２よりもリモコン送信機１１が早く操作されたと判定し、例えば、リモコン送信機１１を持った者のポイント加算等が行われる。
【００３３】
また、この時、図４のリモコン信号波形図に示すように、リモコン送信機１１とリモコン送信機１２が全く同時に操作された場合にも、二つ目の送信コードＶ１−２とＶ２−２からコード順データを判読し、周期Ｘ１とＸ２の差から、リモコン送信機１１とリモコン送信機１２が殆んど同時に操作された、と判定する。
【００３４】
さらに、図５のリモコン信号波形図に示すように、リモコン送信機１２の方がやや早く操作された場合にも、これらのコード順データから、リモコン送信機１２の二つ目の送信コードＶ２−２を受信したのは、リモコン送信機１１の送信コードＶ１−２より後であるが、これらを受信した時間と周期Ｘ１、Ｘ２の差から、リモコン送信機１１よりもリモコン送信機１２が早く操作されたと判定する。
【００３５】
なお、リモコン送信機１１や１２に加え、リモコン送信機１３も操作する場合には、リモコン送信機１３のリモコン信号を上記と同様のコード順データを付加したものにすると共に、複数の送信コードを周期Ｘ１やＸ２より大きな周期に配列し、各々の三つ目の送信コードによって送信順を判定するように構成されている。
【００３６】
このように本実施の形態によれば、複数のリモコン送信機１１、１２、１３の、リモコン信号の複数の送信コードＶ１−１〜３とＶ２−１〜３等を異なる周期に配列すると共に、これらの送信コード内にコード順データＶＥ１−１〜３等を設けることによって、複数のリモコン送信機から全く同時、或いは僅かな時間差で送信が行われた場合でも、送信順を正しく判定することが可能となり、誤操作がなく操作の容易な送受信装置を得ることができるものである。
【産業上の利用可能性】
【００３７】
本発明による送受信装置は、誤操作がなく操作の容易なものが得られ、主に各種電子機器の操作用として有用である。
【図面の簡単な説明】
【００３８】
【図１】本発明の一実施の形態による送受信装置の概観図
【図２】同リモコン信号波形図
【図３】同送信コード波形図
【図４】同他の実施の形態によるリモコン信号波形図
【図５】同他の実施の形態によるリモコン信号波形図
【図６】従来の送受信装置の概観図
【図７】同リモコン信号波形図
【図８】同送信コード波形図
【図９】同リモコン信号波形図
【符号の説明】
【００３９】
１１、１２、１３  リモコン送信機
１１Ａ  ケース
１１Ｂ  操作キー
１１Ｃ  制御手段
１５  リモコン受信機
１５Ａ  表示部
１５Ｂ  受信部
【図１】
0004811058.tif 000002
【図２】
0004811058.tif 000003
【図３】
0004811058.tif 000004
【図４】
0004811058.tif 000005
【図５】
0004811058.tif 000006
【図６】
0004811058.tif 000007
【図７】
0004811058.tif 000008
【図８】
0004811058.tif 000009
【図９】
0004811058.tif 000010